(57)【要約】【課題】分割型支持体において、支持体片を組み合わせた箇所の基板と近接する部分における接合部材の塗布量・塗布位置をある程度管理しながら、高度な密閉性が得られ、品質及び信頼性を向上させた画像表示装置を提供する。【解決手段】陽極及び蛍光体を内面に有する前面基板と、複数の電子源を内面に有して前面基板と所定の間隔をもって対向する背面基板と、前面基板と背面基板との間で表示領域を周回して介挿され、所定の間隔を保持する枠状の支持体と、支持体の端面と前面基板及び背面基板とをそれぞれ気密封着する封着部材とを備え、支持体は、複数の支持体片の組立体からなり、これらの支持体片組み合わせ接合面の各辺部にＲ面取り部１３Ｒを設け、各支持体片の接合面１３Ｐに接合部材ＦＧを介在して気密接合させることにより、接合部材ＦＧの塗布量・塗布位置の変化に対応できる。【選択図】図３
2007287620.tif 000002
【特許請求の範囲】
【請求項１】
陽極及び蛍光体を内面に有する前面基板と、
複数の電子源を内面に有して前記前面基板と所定の間隔をもって対向する背面基板と、
前記前面基板と前記背面基板との間で表示領域を周回して介挿され、前記所定の間隔を保持する枠状の支持体と、
前記支持体の端面と前記前面基板及び背面基板とをそれぞれ気密封着する封着部材と、を備え、
前記支持体は、複数の支持体片の組立体からなり、前記支持体片の組み合わせ接合面の辺部に面取り部が設けられ、前記接合面に接合部材を介在させて気密接合されていることを特徴とする画像表示装置。
【請求項２】
陽極及び蛍光体を内面に有する前面基板と、
複数の電子源を内面に有して前記前面基板と所定の間隔をもって対向する背面基板と、
前記前面基板と前記背面基板との間で表示領域を周回して介挿され、前記所定の間隔を保持する枠状の支持体と、
前記支持体の端面と前記前面基板及び背面基板とをそれぞれ気密封着する封着部材と、を備え、
前記支持体は、複数の支持体片の組立体からなり、前記支持体片の組み合わせ接合面の前記前面基板及び背面基板と近接する側の少なくとも一方の辺部に面取り部が設けられ、前記接合面に接合部材を介在させて気密接合されていることを特徴とする画像表示装置。
【請求項３】
前記面取り部は、Ｃ面取り形状とすることを特徴とする請求項１または請求項２に記載の画像表示装置。
【請求項４】
前記面取り部は、Ｕ面取り形状とすることを特徴とする請求項１または請求項２の何れかに記載の画像表示装置。
【請求項５】
前記面取り部は、Ｒ面取り形状とすることを特徴とする請求項１または請求項２に記載の画像表示装置。
【請求項６】
前記Ｒ面取り形状は、曲率半径が０．２ｍｍ以下に設定された湾曲形状とすることを特徴とする請求項５に記載の画像表示装置。
【請求項７】
前記接合面は、前記支持体片の長さ方向に対して垂直方向に形成される垂直面であることを特徴とする請求項１乃至請求項６の何れかに記載の画像表示装置。
【請求項８】
前記接合面は、前記支持体片の長さ方向に対して斜方向に傾斜する傾斜面であることを特徴とする請求項１乃至請求項６の何れかに記載の画像表示装置。
【請求項９】
前記接合面は、前記支持体片の長さ方向に対して斜方向に傾斜する傾斜面が形成され、且つ当該傾斜面内に一体的に係止爪が設けられていることを特徴とする請求項８に記載の画像表示装置。
【請求項１０】
前記支持体片は、ガラス材の成形体により形成されていることを特徴とする請求項１乃至請求項９の何れかに記載の画像表示装置。
【請求項１１】
前記支持体片は、セラミックス材の焼結体により形成されていることを特徴とする請求項１乃至請求項９の何れかに記載の画像表示装置。
【発明の詳細な説明】
【技術分野】
【０００１】
本発明は、画像表示装置に係り、特に基板間に介挿されて密閉空間を囲繞する支持体を備えた画像表示装置に関し、詳細には支持体を構成する複数の支持体片の接合面構造に関するものである。
【背景技術】
【０００２】
高輝度，高精細に優れた画像表示装置として従来からカラー陰極線管が広く用いられている。また、近年の情報処理装置やテレビ放送の高画質化に伴い、高輝度，高精細の特性を有すると共に、軽量，省スペースの画像表示装置である平板状ディスプレイ（パネルディスプレイ）が要求されている。
【０００３】
その典型的な例として、液晶表示装置、プラズマディスプレイ装置などのパネルディスプレイが実用化されている。この種のパネルディスプレイの内、特に高輝度化が可能なものとして電子放出型表示装置や低消費電力を特徴とする有機ＥＬディスプレイなど種々の型式のパネルディスプレイも提案されている。
【０００４】
図１２は、既知の電子放出型画像表示装置の一構成例を説明する断面図である。この電子放出型画像表示装置は、背面基板１と、この背面基板１と対向する前面基板２とを備え、これら両基板間の内周縁部に一体構成からなる枠状の支持体３を介挿して封着部材４により気密封止し、この支持体３に囲繞された表示領域となる内部空間を外界の気圧より低圧または真空状態に保持して構成される。
【０００５】
また、この画像表示装置は、背面基板１の内面に電子放出型の電子源５と制御電極等とを備えており、さらに、前面基板２の内面には陽極と蛍光体層６とを備えている。また、この背面基板１と前面基板２との対向間には、表示領域の間隔を所定間隔に保持する複数のスペーサ７が複数の画素毎に画素の動作を妨げない位置に接着部材８を介して設置されている。なお、このスペーサ７は、表示画面の大型化に伴い、必要不可欠となっている。
【０００６】
背面基板１は、ガラス材またはセラミックス材などを好適とする絶縁性材料から形成され、また、前面基板２は、ガラス等の光透過性の絶縁性材料で形成されている。さらに、支持体３は、ガラスまたはセラミックス材などを好適とする絶縁性材料から形成され、背面基板１と前面基板２との間の内周縁部にフリットガラスなどの封着部材４で固着されている。背面基板１と前面基板２と支持体３とで形成される内部空間は、例えば１０-5〜１０-7Ｔｏｒｒの真空度に排気される。
【０００７】
また、電子源５は、例えばカーボンナノチューブ（ＣＮＴ），ダイアモンドライクカーボン（ＤＬＣ）またはその他の電子放出性カソード等により構成される。
【０００８】
このようなパネルディスプレイにおいて、両基板間の間隔を保持して表示領域を囲繞する支持体３は、上述した一体構成のものと、図１３に一例を示すように複数の壁部材３Ｘ１，３Ｘ２，３Ｙ１，３Ｙ２，３Ｃ１，３Ｃ２，３Ｃ３，３Ｃ４を接合して構成されたもの等が知られている。図１３は、下記特許文献１に開示された表示装置の説明図であり、背面基板１と前面基板２と支持体３との構成例を模式的に説明する展開斜視図である。
【０００９】
この図１３に示す表示装置では、背面基板１及び前面基板２はガラス板で構成され、支持体３はガラス材で構成されている。なお、ここでは、背面基板１と前面基板２との各内面に形成する各種の構成部分は図示を省略してある。
【００１０】
図１３においては、背面基板１と前面基板２との内周縁部に所定の厚みを有する支持体３を介在させ、これらを封着部材により一定の間隙をもって固定して内部に密閉空間を形成してある。この支持体３は、複数の壁部材３Ｘ１，３Ｘ２，３Ｙ１，３Ｙ２及びコーナー壁部材３Ｃ１〜３Ｃ４に分割されている。
【００１１】
各壁部材３Ｘ１、３Ｘ２、３Ｙ１、３Ｙ２、３Ｃ１〜３Ｃ４は、互いに隣接して係合する部分のそれぞれに斜面３Ｐが形成されている。そして、この斜面３Ｐに立てた法線と背面基板１または前面基板２に立てた法線の交差角度を鋭角にしてある。
【００１２】
また、図１４は、図１３における支持体の平面および二つの側面を示す３面図であり、図１４（ａ）は平面図、図１４（ｂ）は短辺側側面図、図１４（ｃ）は長辺側側面図を示す。図中の符号は図１３と同一部分に対応する。
【００１３】
図１４に示したように、この例の支持体３は、２本の長辺壁部材３Ｘ１，３Ｘ２と、２本の短辺壁部材３Ｙ１，３Ｙ２と、４個のコーナー壁部材３Ｃ１，３Ｃ２，３Ｃ３，３Ｃ４とに分割され、各斜面３Ｐで相互に接合されて支持体３を構成している。
【００１４】
また、下記特許文献２には、電子放出素子を内包する第１の枠部材と、この第１の枠部材を内包する第２の枠部材とを備え、これら第１の枠部材及び第２の枠部材を、複数本の板状の部材を長方形に並べて位置決め固定し、それぞれの接触部分をバーナで加熱して溶かし、溶着して形成する技術が記載されている。
【００１５】
さらに、下記特許文献３には、一体構造の支持枠を有する画像形成装置で、前面板とスペーサとの間、背面板とスペーサとの間及び支持枠と両面板との間をそれぞれ軟化温度の異なるフリットガラスで封着することにより封着回数を減らし、寸法変化を最小限とし、微少リークの発生を抑える技術が記載されている。
【００１６】
【特許文献１】特開２００２−２９８７６１号公報
【特許文献２】特開２０００−３１１６３０号公報
【特許文献３】特開平１１−３１７１６４号公報
【発明の開示】
【発明が解決しようとする課題】
【００１７】
このようなパネル型の表示装置のうち、前面基板と背面基板との二枚の基板間の密閉空間を外界の気圧より低圧または真空とした表示装置では、二枚の基板間の間隙を所定値に保持すると共に、当該密閉空間を囲繞して気密を維持する枠状の支持体が配置されている。
【００１８】
この枠状の支持体は、その材質が主に基板（前面基板及び背面基板）と略同一の熱膨張係数を有するガラス材が用いられ、また、この枠形状の製作は、ガラス板の中抜き形状をそのまま成形する方法、ガラス板材から切り出す方法またはガラス棒材を組み合わせる方法などが用いられている。
【００１９】
ガラス棒材を組み合わせる方法において、注意すべき点は、真空度の保持能力であり、これは組み合わせ部（接合部）の密閉性及び枠形状の組み立て精度に関係する。特にガラス棒材を組み合わせた箇所の基板と近接する部分は、接合部材の塗布過多による食み出しまたは接合部材不足による隙間の発生による原因で密閉性が得られない。その対策として接合部材の塗布量及び塗布位置を厳密に制御する密閉構造が検討されているが、その実現が極めて困難であるという問題があった。
【００２０】
このように構成される画像表示装置において、分割型支持体３は、図１５（ａ）に平面図で示すように複数の支持体片３Ｘ１，３Ｘ２，３Ｙ１，３Ｙ２が枠状に組み合される各接合面間に接合部材ＦＧを塗布して形成される。各支持体片３Ｘ１，３Ｘ２，３Ｙ１，３Ｙ２相互間の接合面に塗布する接合部材ＦＧの塗布量が多い場合には、図１５（ｂ）に図１５（ａ）のＡ−Ａ´線の断面図で示すように支持体片３Ｘ２と支持体片３Ｙ１との接合面間に接合部材ＦＧの食み出し部ＦＧＰが発生する。
【００２１】
また、接合部材ＦＧの塗布量が少ない場合には、図１５（ｃ）に示すように支持体片３Ｘ２と支持体片３Ｙ１との接合面間に凹部３Ｇが生じる。さらに、接合部材ＦＧの量が適正であっても、塗布位置がずれた場合には、図１５（ｄ）に示すように支持体片３Ｘ２と支持体片３Ｙ１との接合面間に凹部３Ｇと食み出し部ＦＧＰとが発生する。この凹部３Ｇ及び食み出し部ＦＧＰは、接合面が垂直面状に形成された場合に限らず、傾斜面状に形成される場合でも同様に発生する。
【００２２】
接合部材ＦＧの食み出し部ＦＧＰによる凸形状が存在すると、対向する基板（前面基板及び背面基板）を封着する際に封着部材が十分に潰れず、ピンホール等が生じ易くなり、密閉性が維持できないという課題があった。また、接合面間が凹部３Ｇによる凹形状となると、封着部材が十分に流れ込めずに同様に密閉性が低下し易くなるという課題があった。
【００２３】
したがって、本発明は、上述した課題を解決するためになされたものであり、その目的は、分割型支持体において、支持体片を組み合わせた箇所の基板と近接する部分における接着材の塗布量・塗布位置をある程度管理しながら、高度な密閉性が得られ、品質及び信頼性を向上させることができる画像表示装置を提供することにある。
【課題を解決するための手段】
【００２４】
このような目的を達成するために本発明による画像表示装置は、陽極及び蛍光体を内面に有する前面基板と、複数の電子源を内面に有して前面基板と所定の間隔をもって対向する背面基板と、前面基板と背面基板との間で表示領域を周回して介挿され、所定の間隔を保持する枠状の支持体と、支持体の端面と前面基板及び背面基板とをそれぞれ気密封着する封着部材とを備え、支持体が複数の支持体片の組立体からなり、これらの支持体片の組み合わせ接合面の辺部に面取り部を設け、接合面に接合部材を介在して気密接合させることにより、接合部材の塗布量・塗布位置の変化に対応できるので、背景技術の課題を解決することができる。
【００２５】
また、本発明による他の画像表示装置は、陽極及び蛍光体を内面に有する前面基板と、複数の電子源を内面に有して前面基板と所定の間隔をもって対向する背面基板と、前面基板と背面基板との間で表示領域を周回して介挿され、所定の間隔を保持する枠状の支持体と、支持体の端面と前面基板及び背面基板とをそれぞれ気密封着する封着部材とを備え、支持体が複数の支持体片の組立体からなり、支持体片の組み合わせ接合面の前面基板及び背面基板と近接する側の少なくとも一方の辺部に面取り部を設け、接合面に接合部材を介在して気密接合させることにより、接合部材の塗布量・塗布位置の変化に対応できるので、背景技術の課題を解決することができる。
【００２６】
なお、本発明は、上記の構成及び後述する実施例の構成に限定されるものではなく、本発明の技術思想を逸脱することなく種々の変更が可能であることは言うまでもない。
【発明の効果】
【００２７】
本発明によれば、各支持体片を組み合わせる接合面の辺部に面取り部を設けたことにより、接合部における接合部材の過多の食み出しまたは接着材不足による隙間の発生が生じ難くなり、確実な気密接合が確保できるので、作業性、歩留まりが向上し、棒部材使用による生産性の高い大型（大画面）の画像表示装置が得られるという極めて優れた効果が得られる。
【００２８】
また、本発明によれば、支持体片の組み合わせ接合面の前面基板及び背面基板と近接する少なくとも一方の辺部に面取り部を設けたことにより、接合面と、前面基板および／または背面基板と近接する部分との間の接合部で接合部材の塗布量・塗布位置が精密に制御できる。そして、接合部材の過多の食み出しまたは接着材不足による隙間の発生が生じ難くなり、確実な気密接合が確保できるので、密閉性が大幅に向上し、パネル内部の真空状態のリーク発生の恐れを確実に回避でき、品質及び信頼性の高い画像表示装置が実現可能となるという極めて優れた効果が得られる。
【００２９】
さらに、本発明によれば、支持体片の組み合せ接合面の辺部に面取り部を設けて棒状に一体成形で形成することができるので、構成が簡単となり、しかも、枠形状への組み立てが容易となるので、支持体組み立ての歩留まりが向上し、牽いては製品歩留まりが向上できるので、棒状支持体片の使用による製品原価が低減できる等の極めて優れた効果が得られる。
【発明を実施するための最良の形態】
【００３０】
以下、本発明の具体的な実施の形態について、図面を参照して詳細に説明する。なお、ここでは、本発明をＦＥＤに適用した構成について説明するが、他の同様の画像表示装置またはこれに類似する表示装置にも同様に適用できることは言うまでもない。
【実施例１】
【００３１】
図１は、本発明による画像表示装置の一実施例を示し、背面基板，前面基板及び支持体の構成例を模式的に説明する展開斜視図であり、図中、Ｚ方向は前面基板１及び背面基板２の積層方向を示している。また、図２は図１の支持体の構成を拡大して示す平面図である。さらに、図３は支持体片の接合部分を示す図であり、図３（ａ）は図２のＡ−Ａ´線の沿って切断した拡大断面図、図３（ｂ）は図２のＢ−Ｂ´線に沿って切断した拡大断面図である。
【００３２】
この画像表示装置では、背面基板１及び前面基板２はガラス板により形成され、支持体１３はその材質が主に背面基板１及び前面基板２と略同一の熱膨張係数を有するガラス材またはセラミックス材により形成されている。なお、ここでは、背面基板１及び前面基板２の各内面に形成される電子源及び蛍光体層等の各種の構成部分は図示を省略してある。
【００３３】
図１乃至図３において、背面基板１と前面基板２とを一定の間隙をもって対向配置し、その内周縁部に所定の厚み（約３ｍｍ程度）を有する支持体１３を介在させ、この支持体１３の上下端面に封着部材４を介して背面基板１及び前面基板２と支持体１３とを封着固定して内部に表示領域となる密閉空間が形成されている。
【００３４】
この支持体１３は、二つの長辺支持体片１３Ｘ１，１３Ｘ２と、二つの短辺支持体片１３Ｙ１，１３Ｙ２とを有し、これらの支持体片１３Ｘ１，１３Ｘ２，１３Ｙ１，１３Ｙ２を表示領域を囲繞する枠形状寸法に組み合わせ、各接合面１３Ｐに例えばＰｂＯ：約７０ｗｔ％、Ｂ2Ｏ3：約４ｗｔ％、ＴｉＯ2：約９ｗｔ％、その他からなる非晶質フリットガラス等からなる接合部材１４を介在させて気密接合して構成されている。また、上記構成では各接合面１３Ｐは垂直面形状としている。
【００３５】
また、この支持体１３は、枠形状を形成する各支持体片１３Ｘ１，１３Ｘ２，１３Ｙ１，１３Ｙ２を組み合わせて接合する各接合面１３Ｐには図３（ａ）及び図３（ｂ）に示すように各辺部にＲ面取り部１３Ｒが一体的に形成されている。これらの辺部に形成されるＲ面取り部１３Ｒは、曲率半径Ｒが約０．２ｍｍ以下に設定された凸状の湾曲面を有して形成されている。
【００３６】
このように形成された各支持体片１３Ｘ１，１３Ｘ２，１３Ｙ１，１３Ｙ２の各接合面１３Ｐの辺部にＲ面取り部１３Ｒを形成したことにより、接合部材１４による接合時において、このＲ面取り部１３Ｒは接合面から押し出されてきた接合部材１４の溜まり場となり、接合部材１４が食み出して凸形状に形成されず、塗布量・塗布位置の変化に対してＲ面取り部１３Ｒ内で吸収できる。また、Ｒ面取り部１３Ｒの形成により、接合端の開口を広げることができるので、接合部材１４が対向するＲ面取り部１３Ｒにより形成される凹部内に流れ込み、支持体片１３Ｘ１，１３Ｘ２，１３Ｙ１，１３Ｙ２の各接合面１３Ｐが気密接合されるので、真空を確実に保持することができる。
【００３７】
なお、このＲ面取り部１３Ｒの面取り量は、接合部材１４の塗布精度により規定し、面取り部１３Ｒの曲率半径Ｒは、約０．２ｍｍ以下に設定したが、接合部材１４と支持体片１３Ｘ１，１３Ｘ２，１３Ｙ１，１３Ｙ２との濡れ性により規定する。
【００３８】
このようにして形成された支持体１３は、各支持体片１３Ｘ１，１３Ｘ２，１３Ｙ１，１３Ｙ２の各接合面１３Ｐの各辺部にＲ面取り部１３Ｒが形成され、各Ｒ面取り部１３Ｒの凹部内に接合部材１４が溜まり、接合部材１４の食み出し部及び凹が生じなくなるので、図４に要部拡大断面図で示すようにこの支持体１３の上下端面に背面基板１及び前面基板２を封着させる場合、封着部材４が十分に潰れるので、ピンホール等が生じ難くなり、密閉性が維持される。したがって、表示パネル間が高真空度に保持されることになる。
【００３９】
なお、上記実施例では、Ｒ面取り部１３Ｒは、互いに接合する各支持体片の両接合面に形成した場合について説明したが、両接合面の何れか一方に形成しても上記同様に接合端の開口が形成されるので、接合部材１４が一方のＲ面取り部１３Ｒの凹部に流れ込み、接合面１３Ｐが気密接合される。
【００４０】
また、上記実施例では、各支持体片１３Ｘ１，１３Ｘ２，１３Ｙ１，１３Ｙ２の各接合面の辺部に形成する面取り部を図５（ａ）に示すように辺部が凸状の湾曲形状となるＲ面取り部１３Ｒとした場合について説明したが、これに代えて図５（ｂ）に示すよう辺部が切り欠き形状となるＣ面取り部１３Ｃとした場合でも良く、また、これに代えて図５（ｃ）に示すように辺部が凹状の湾曲形状となるＵ面取り部１３Ｕとした場合でも上記同様の作用効果が得られる。
【００４１】
なお、これらの面取り部（１３Ｒ，１３Ｃ，１３Ｕ）は、各支持体片１３Ｘ１，１３Ｘ２，１３Ｙ１，１３Ｙ２の互いに接合する接合面１３Ｐの辺部のみに設けた場合について説明したが、各支持体片１３Ｘ１，１３Ｘ２，１３Ｙ１，１３Ｙ２の長さ方向の全ての辺部に形成しても良い。このように構成することにより、支持体１３の上下端面に背面基板１及び前面基板２を封着させる際、辺部に形成された凹状の面取り部に封着部材４が流れ込んで滞留するので、封着部材４によるピンホール等が生じ難くなり、密閉性が維持される。したがって、表示パネル間が高真空度に保持されることになる。
【実施例２】
【００４２】
図６〜図８は、本発明による画像表示装置の他の実施例を模式的に説明する支持体片の接合部分の構成を示す要部拡大断面図であり、上述した図と同一部分には同一符号を付し、その説明は省略する。図６〜図８に示す接合部分は、図２のＢ−Ｂ´線に沿って切断した接合部分に相当する。図６においては、長辺側支持体片１３Ｘ１と短辺側支持体片１３Ｙ１との接合面１３Ｐが斜面形状で形成されている。
【００４３】
また、長辺側支持体片１３Ｘ１の接合面１３Ｐの下部側にはＣ面取り部１３Ｃが形成され、短辺側支持体片１３Ｙ１の接合面１３Ｐの上部側にも同様のＣ面取り部１３Ｃが一体的に形成されている。このような構成においても、接合時において、このＣ面取り部１３Ｃは押し出されてきた接合部材１４の溜まり場となり、接合部材１４が食み出して凸形状に形成されず、塗布量・塗布位置の変化に対してＣ面取り部１３Ｃ内で吸収できる。
【００４４】
図７に示す接合部分は、図６の構成と異なる点が長辺側支持体片１３Ｘ１の接合面１３Ｐと短辺側支持体片１３Ｙ１の接合面１３Ｐとの間には接合時における相対的な位置ずれを規制する係止構造としての鍵構造１３Ｋが一体的に設けられている。このような構成においては、上記効果に加えて接合面１３Ｐの接合面積が広く確保できるとともに、長辺側支持体片１３Ｘ１と短辺側支持体片１３Ｙ１とが鍵構造１３Ｋにより係止されて接合されるので、支持体１３自体のＸＹ平面における位置ずれ等の変位が阻止され、高精度の位置決めが可能となるとともに、より強固で確実な気密接合が実現可能となる。したがって、真空状態のリークを確実に防止することができる。
【００４５】
また、図８に示す接合部分は、図７と異なる点が長辺側支持体片１３Ｘ１の接合面１３Ｐと短辺側支持体片１３Ｙ１の接合面１３Ｐとの間には図７の鍵構造１３Ｋに代えて臍構造１３Ｔが一体的に設けられている。このような構成においても図７の効果と略同等の作用効果が得られる。
【００４６】
図９は、本発明による画像表示装置の全体構造の一例を説明する一部破断して示す斜視図である。また、図１０は、図９のＡ−Ａ’線に沿って切断した断面図である。背面パネルを構成する背面基板ＳＵＢ１の内面には、カソード電極ＣＬとゲート電極ＧＬを有し、カソード電極ＣＬとゲート電極ＧＬとの交差部分に電子源が形成されている。カソード電極ＣＬの端部にはカソード電極引出線ＣＬＴが形成され、ゲート電極ＧＬの端部にはゲート電極引出線ＧＬＴが形成されている。
【００４７】
前面パネルを構成する前面基板ＳＵＢ２の内面には陽極ＡＤと蛍光体層ＰＨが形成されている。背面パネルＰＮＬ１を構成する背面基板ＳＵＢ１と、前面パネルＰＮＬ２を構成する前面基板ＳＵＢ２とは、その内周縁部に封止枠ＭＦＬを介在させて貼り合わされる。なお、この貼り合わせた間隙を所定値に保持するため、背面パネルＳＵＢ１と前面パネルＰＮＬ２の間にガラス板を好適とする間隔保持部材（隔壁、スペーサ）が植立されるが、図９及び図１０では図示を省略してある。
【００４８】
なお、背面パネルＰＮＬ１と前面パネルＰＮＬ２および封止枠ＭＦＬで密封された内部空間は、背面パネルＰＮＬ１の一部に設けた排気管ＥＸＣから排気して所定の真空状態に保持される。
【００４９】
図１１は、本発明の構成を適用した画像表示装置の等価回路例の説明図である。図１１中に破線で示した領域は表示領域ＡＲであり、この表示領域ＡＲにｎ本のカソード電極ＣＬとｍ本のゲート電極ＧＬが互いに交差して配置されてｎ×ｍのマトリクスが形成されている。マトリクスの各交差部は副画素を構成し、図中の３つの単位画素（または副画素）"Ｒ"，"Ｇ"，"Ｂ"の１グループでカラー１画素を構成する。なお、電子源の構成は図示を省いた。カソード電極ＣＬは、カソード電極引出端子ＣＬＴで画像信号駆動回路ＤＤＲに接続され、ゲート電極ＧＬはゲート電極引出端子ＧＬＴで走査信号駆動回路ＳＤＲに接続されている。画像信号駆動回路ＤＤＲには外部信号源から画像信号ＮＳが入力され、走査信号駆動回路ＳＤＲには同様に走査信号ＳＳが入力される。
【００５０】
これにより、順次選択されるゲート電極ＧＬに交差するカソード電極ＣＬに画像信号を供給することで、二次元のフルカラー画像を表示することができる。本構成例の表示パネルを用いることにより、比較的低電圧で高効率の自発光平面表示装置が実現される。
【００５１】
なお、前述した実施例では、電子源にＭＩＭ型を用いた構造を例として説明したが、本発明はこれに限定されるものではなく、前述した各種の電子源を用いた自発光型ＦＰＤに適用しても前述と全く同様の効果が得られることは勿論である。
【図面の簡単な説明】
【００５２】
【図１】本発明による画像表示装置の一実施例を模式的に説明する展開斜視図である。
【図２】図１の支持体の構成を示す平面図である。
【図３】図３（ａ）は図２のＡ−Ａ´線で切断した拡大断面図、図３（ｂ）は図２のＢ−Ｂ´線で切断した拡大断面図である。
【図４】支持体に背面基板及び前面基板を封着した拡大断面図である。
【図５】本発明による画像表示装置の他の実施例を示す支持体の面取り部の他の構成を示す拡大平面図である。
【図６】本発明による画像表示装置の他の実施例を示す長辺側支持体片と短辺側支持体との接合部分の構成を示す拡大平面図である。
【図７】本発明による画像表示装置の他の実施例を示す長辺側支持体片と短辺側支持体との接合部分の構成を示す拡大平面図である。
【図８】本発明による画像表示装置の他の実施例を示す長辺側支持体片と短辺側支持体との接合部分の構成を示す拡大平面図である。
【図９】本発明による画像表示装置の全体構造の一例を説明する一部破断斜視図である。
【図１０】図９のＡ−Ａ’線に沿って切断した断面図である。
【図１１】本発明の構成を適用した画像表示装置の等価回路例の説明図である。
【図１２】従来の画像表示装置の構成を示す要部断面図である。
【図１３】従来の画像表示装置の構成例を模式的に説明する展開斜視図である。
【図１４】図１３に示す従来の支持体の平面図及びその側面図である。
【図１５】従来の支持体の接合構造の課題を説明する図である。
【符号の説明】
【００５３】
１・・・背面基板、２・・・前面基板、３・・・支持体、４・・・封着部材、５・・・電子源、６・・・蛍光体層、７・・・スペーサ、８・・・接着部材、１３・・・支持体、１３Ｘ１・・・長辺支持体片、１３Ｘ２・・・長辺支持体片、１３Ｙ１・・・短辺支持体片、１３Ｙ２・・・短辺支持体片、１３Ｐ・・・接合面、１３Ｋ・・・鍵構造、１３Ｔ・・・臍構造、１３Ｒ・・・Ｒ面取り部、１３Ｃ・・・Ｃ面取り部、１３Ｕ・・・Ｕ面取り部、１４・・・接合部材。
【図１】
2007287620.tif 000003
【図２】
2007287620.tif 000004
【図３】
2007287620.tif 000005
【図４】
2007287620.tif 000006
【図５】
2007287620.tif 000007
【図６】
2007287620.tif 000008
【図７】
2007287620.tif 000009
【図８】
2007287620.tif 000010
【図９】
2007287620.tif 000011
【図１０】
2007287620.tif 000012
【図１１】
2007287620.tif 000013
【図１２】
2007287620.tif 000014
【図１３】
2007287620.tif 000015
【図１４】
2007287620.tif 000016
【図１５】
2007287620.tif 000017